(57)【要約】      （修正有）【課題】ダビングの際に記録媒体間の処理状況を利用者が直感的に把握することができるようにする。【解決手段】記録再生装置は、本体操作面上における記録媒体の出入口などの位置関係を録画状態などを表示するディスプレイに反映させる構成を採用する。またディスプレイには信号の流れの方向を示す表示を行い、さらにディスプレイに記録媒体の種別を示す表示を行なう。【選択図】図１
2006190427.tif 000002
【特許請求の範囲】
【請求項１】
本体操作面に配置され、第一の記録媒体である第一記録媒体を出し入れするための第一記録媒体出入口と、
本体操作面に配置され、第二の記録媒体である第二記録媒体の出し入れをするための第二記録媒体出入口と、
本体操作面に配置されるディスプレイと、
前記第一記録媒体又は／及び、前記第二記録媒体に対する情報信号の入出力を、第一記録媒体出入口と、第二記録媒体出入口の本体操作面における配置に応じた方向表示で前記ディスプレイに表示するための表示部と、
を有する記録再生装置。
【請求項２】
前記表示部は、第一記録媒体と、第二記録媒体との間で情報信号の移動状態を示す情報信号移動表示手段を有し、
情報信号移動表示手段は、本体操作面の第一記録媒体出入口と、第二記録媒体出入口との相対的位置関係に対応させて、第一記録媒体と第二記録媒体を表象するマークを前記ディスプレイに表示する請求項１に記載の記録再生装置。
【請求項３】
内蔵される第三の記録媒体である第三記録媒体と、本体操作面に配置される前記第三記録媒体を表象するための第三記録媒体表象ロゴとを有し、
前記表示部は、さらに前記第三記録媒体に対する情報信号の入出力を、第三記録媒体表象ロゴの本体操作面における配置に応じた方向表示で前記ディスプレイに表示する第三記録媒体表示手段を有する請求項１に記載の記録再生装置。
【請求項４】
前記表示部は、記録媒体間で情報信号が移動状態にあることを示す第二情報信号移動表示手段を有し、
前記第二情報信号移動表示手段は、本体操作面にある第三記録媒体表象ロゴと、他の記録媒体出入口との相対的位置関係に対応させて、前記第三記録媒体を表象するマーク又は／及び他の記録媒体を表象するマークを前記ディスプレイに表示する第三記録媒体情報信号移動表示器を有する請求項３に記載の記録再生装置。
【請求項５】
前記記録媒体は、テープ状記録媒体、ディスク状記録媒体、半導体メモリのいずれかである請求項１から４のいずれか一に記載の記録再生装置。
【請求項６】
本体操作面に配置される第一の記録媒体である第一記録媒体を出し入れするための第一記録媒体出入口と、
前記本体操作面に配置される第二の記録媒体である第二記録媒体の出し入れをするための第二記録媒体出入口と、
本体操作面に配置されるディスプレイと、を有する記録再生装置の作動状況表示方法であって、
前記第一記録媒体又は／及び、前記第二記録媒体に対して情報信号の入出力を実行するステップと、
前記第一記録媒体又は／及び、前記第二記録媒体に対する前記情報信号の入出力を、第一記録媒体出入口と、第二記録媒体出入口の本体操作面における配置に応じた方向表示で前記ディスプレイに表示する表示ステップと、
を有する記録再生装置の作動状況表示方法。
【請求項７】
前記表示ステップには、
第一記録媒体と、第二記録媒体との間で情報信号が移動状態にあることを示すステップであって、本体操作面の第一記録媒体出入口と、第二記録媒体出入口の相対的位置関係に対応させて、第一記録媒体と第二記録媒体を表象するマークをディスプレイに表示するマーク表示ステップを含む請求項６に記載の記録再生装置の作動状況表示方法。
【発明の詳細な説明】
【技術分野】
【０００１】
本発明は、記録再生装置に関するものである。
【背景技術】
【０００２】
従来の記録再生装置では、例えば、装置が録画状態にあることは「録画中」、また再生状態にあることは「再生中」とディスプレイに表示したり、録画ボタンが赤く光る、あるいは再生ボタンが青く光るなどの方法によって利用者に報知する構成をとっていた。
【特許文献１】特開２００３−１１６０８３号公報
【特許文献２】特開２００４−３０４７３９号公報
【特許文献３】特開２００４−１６６３１４号公報
【特許文献４】特開２００２−１７６６１２号公報
【発明の開示】
【発明が解決しようとする課題】
【０００３】
近年の記録再生装置は、多種類の記録媒体に対応する構成をとるようになりつつある。例えば記録媒体の種類としては、従来からあるビデオテープに加えて、各種ＤＶＤ、各種ＣＤ等の光ディスク、各種ＩＣメモリカードや、ハードディスクドライブ装置（ＨＤＤ）などの磁気ディスク等が利用されている。
【０００４】
そして、一つの筐体内に複数の記録再生装置を内蔵し、それぞれの記録媒体間の編集操作が可能な機種が増えてきている。しかし、上記従来の記録再生装置の技術では、特定の記録媒体に対して録画または再生状態にあることは示せても、各記録媒体の作動状況を一見して直感的に把握するのが困難であった。
【課題を解決するための手段】
【０００５】
上記課題を解決するための本発明においては、本体操作面上における記録媒体の出入口などの位置関係を録画状態などを表示するディスプレイに反映させる構成を採用する。またディスプレイには信号の流れの方向を示す表示を行い、さらにディスプレイに記録媒体の種別を示す表示を行なう。
【発明の効果】
【０００６】
以上、説明したように、本発明の記録再生装置によれば、利用者は記録媒体間の処理状況を直感的に把握することができる。
【発明を実施するための最良の形態】
【０００７】
以下に、各発明を実施するための最良の形態を説明する。なお、本発明はこれら実施の形態に何ら限定されるものではなく、その要旨を逸脱しない範囲において、種々なる態様で実施しうる。
【０００８】
なお、以下の実施形態と請求項の関係は次の通りである。実施形態１は、主に請求項１、６などについて説明する。実施形態２は、主に請求項２、７などについて説明する。実施形態３は、主に請求項３などについて説明する。実施形態４は、主に請求項４などについて説明する。
【０００９】
<<実施形態１>>
<実施形態１：概要>
【００１０】
実施形態１について説明する。本実施形態は、第一記録媒体又は／及び、第二記録媒体に対する情報信号の入出力を、第一記録媒体出入口と、第二記録媒体出入口の本体操作面における配置に応じた方向表示でディスプレイに表示するための表示部を有する記録再生装置である。
【００１１】
<実施形態１：構成>
【００１２】
図１は実施形態１を示す機能ブロック図である。この図に示す本実施形態の記録再生装置（０１００）は、本体操作面に配置される第一の記録媒体である第一記録媒体を出し入れするための第一記録媒体出入口（０１０１）と、本体操作面に配置される第二の記録媒体である第二記録媒体の出し入れをするための第二記録媒体出入口（０１０２）と、本体操作面に配置されるディスプレイ（０１０３）と、前記第一記録媒体又は／及び、前記第二記録媒体に対する情報信号の入出力を、第一記録媒体出入口と、第二記録媒体出入口の本体操作面における配置に応じた方向表示で前記ディスプレイに表示するための表示部（０１０４）とを有する。
【００１３】
本件発明の構成要素である各部は、ハードウエア、ソフトウエア、ハードウエアとソフトウエアの両者、のいずれかによって構成される。たとえば、これらを実現する一例として、コンピュータを利用する場合には、CPU、メモリ、バス、インターフェイス、周辺装置などから構成されるハードウエアと、これらのハードウエア上にて実行可能なソフトウエアを挙げることができる。具体的には、メモリ上に展開されたプログラムを順次実行することで、メモリ上のデータや、インターフェイスを介して入力されるデータの加工、蓄積、出力などにより各部の機能が実現される。（本明細書の全体を通じて同様である。）
【００１４】
<実施形態１：構成の説明>
【００１５】
以下に実施形態１の各構成を説明する。
【００１６】
「第一記録媒体出入口」（０１０１）は、本体操作面に配置される第一の記録媒体である第一記録媒体を出し入れする。第一記録媒体出入口は、記録媒体の種類に応じて定められる。「記録媒体」は、例えば、テープ状記録媒体、ディスク状記録媒体、半導体メモリ等がこれに該当する。記録媒体がＤＶＤやＣＤのようなディスク状のものである場合には、第一記録媒体出入口は、例えば、トレー状の出入口であることが考えられ、トレーの出し入れによって記録媒体の出し入れが行われる。記録媒体がＶＨＳやβビデオテープである場合には、箱状の記録媒体を直接装置内に差し込み、装置内から抜き出しできるように設けられた出入口であることが考えられる。また、記録媒体が半導体メモリである場合には、チップ状またはカード状の半導体メモリを装置内に差し込み、装置内から抜き出しできるように設けられた出入口であることが考えられる。
【００１７】
「本体操作面」とは、基本的には記録再生装置の筐体の利用者に向いている面（図３のａ）参照）であることが通常であるが、それに限られず、図３のｃ１）に示すように、当該面上に蓋状面が設けられており、蓋を開いた状態（図３のｃ２）参照）で本体操作が可能となっているような場合には、その蓋によって被覆された面もこれに該当し、また、記録媒体出入口等が利用者に向いている面以外の面、例えば図３のｂ）に示すように上面に設けられている場合には、その記録媒体出入口等が設けられている面もこれに該当する。
【００１８】
「第二記録媒体出入口」（０１０２）は、本体操作面に配置される第二の記録媒体である第二記録媒体の出し入れをする。
【００１９】
「ディスプレイ」（０１０３）は、本体操作面に配置される。「ディスプレイ」は、液晶表示方式であっても、蛍光表示方式であっても、ＣＴＲ表示方式であってもよいが、情報信号の入出力を方向表示で表示する必要性から、方向表示可能なものでなければならない。
【００２０】
「表示部」（０１０４）は、前記第一記録媒体又は／及び、前記第二記録媒体に対する情報信号の入出力を、第一記録媒体出入口と、第二記録媒体出入口の本体操作面における配置に応じた方向表示で前記ディスプレイに表示する。「表示部」とは、ディスプレイに信号を送り出すことによりディスプレイ上に表示を行う回路やメモリ等の構造部分をいう。
【００２１】
ここで、「情報信号」とは、基本的には映像や音声の信号がこれに当たり、アナログの信号であっても、デジタルの信号であっても、どのようなフォーマットの信号であってもよい。例えば、テレビゲームのプログラムを媒体から他の媒体へダビングするような場合のプログラムや、データベースから取得されるデータ、記録再生装置内での命令信号などもここでいう「情報信号」に含まれる。記録再生装置内での命令信号とは、利用者が操作ボタンを押すことによって発生する再生命令、録画命令、消去命令などをさす。「入出力」とは、信号が入ること、出ること、又はその両方であることの３通りのいずれかの意味を表す。「方向表示」とは、基本的には信号が進む方向を表示することである。即ち、信号が進む方向の先には信号を受け入れる記録媒体が、信号が進む方向の起点側には信号を発する記録媒体が示されるように、方向表示がなされる。方向表示には、例えば、矢印がディスプレイ内を流れていくように示す表示（図４のａ）参照）が該当するが、これに限定されず、人が通常の感覚で方向が表示されていると捉えるものはこれに該当する。例えば、何らかの文字表示（図４のｃ）参照）や「・・・・・・」表示（図４のｂ）参照）等が流れていくように示す表示であってもこれに該当する。
【００２２】
「配置に応じた方向表示」とは、ディスプレイのウィンドウから見た第一記録媒体出入口及び第二記録媒体出入口の配置を示唆する方向表示を意味する。従って、ディスプレイの位置も方向表示を決定付けるために必要な要素となる。第一記録媒体出入口及び第二記録媒体出入口の配置だけでなく、第一記録媒体出入口及び第二記録媒体出入口とディスプレイとの配置に応じて方向表示が決定されるのである。「配置に応じた」の意味するところについて、図２を利用して更に説明する。図２のａ）乃至ｅ）は、すべて、第一記録媒体及び第二記録媒体の信号の出入力を示す図である。図２のａ）に示されている矢印による方向表示は、例えば（１）から（２）へ信号が流れていることを示している。即ち、第一記録媒体出入口（１）と第二記録媒体出入口（２）との装置本体操作面における相対的位置関係が、ディスプレイの方向表示に反映されているのである。図２のａ）においては、方向表示の信号を発する起点側の媒体は第一記録媒体には限られず、第二記録媒体が他の媒体から信号を受信している場合や、第二記録媒体が放送を受信している場合にも同様の表示がなされることになり、また、方向表示の信号を受ける終点側の媒体は第二記録媒体には限られず、第一記録媒体が他の媒体へ信号を送信している場合にも同様の表示がなされることになる。図２のｂ）乃至ｅ）についても、同様に、各図の方向表示は、第一記録媒体出入口（１）と第二記録媒体出入口（２）との装置本体操作面における相対的位置関係を反映させたものとなっている。
【００２３】
「記録再生装置」（０１００）は、以上のような構成要件をもって出来上がる装置であり、「記録再生装置」とは、情報の記録及び再生が可能な装置のみならず、記録のみが可能な装置や再生のみが可能な装置もこれに含まれる。
【００２４】
<具体例１>
【００２５】
図５は、本実施形態の具体的機能ブロック図を示す。この図を利用して本実施形態の具体的な説明を行なう。まず、信号取得部（０５０５）において第一記録媒体、ここではビデオテープから送信された信号が取得される。ここで表示部（０５０４）は信号取得部（０５０５）から、どの媒体から信号が送信されたかについての情報を取得する。この場合は、表示部（０５０４）は、ビデオテープから信号が送信されたという情報を取得する。次に、信号出力部（０５０６）が信号取得部（０５０５）の取得した信号を受け取って、第二記録媒体、ここではＤＶＤへ送信する。ここで表示部は信号出力部から、どの媒体へ信号が送信されたかについての情報を取得する。この場合は、表示部（０５０４）は、ＤＶＤへ信号が送信されたという情報を取得する。表示部（０５０４）は、これらの情報に基づき、第一記録媒体であるビデオテープの出入口（０５０１）及び第二記録媒体であるＤＶＤの出入口（０５０２）の装置本体操作面における配置を反映させた形で、ディスプレイ（０５０３）上に、信号が進む方向を表示する方向表示を矢印の点滅移動によって行なう。
【００２６】
<実施形態１：処理の流れ>
【００２７】
図１６に示すのは、本実施形態の処理の流れを示すフローチャートである。具体的には、以下の方法からなっている。
【００２８】
本実施形態は、本体操作面に配置される第一の記録媒体である第一記録媒体を出し入れするための第一記録媒体出入口と、前記本体操作面に配置される第二の記録媒体である第二記録媒体の出し入れをするための第二記録媒体出入口と、本体操作面に配置されるディスプレイと、を有する記録再生装置の作動状況表示方法であって、前記第一記録媒体又は／及び、前記第二記録媒体に対して情報信号の入出力を実行するステップ（Ｓ１６０１）と、前記第一記録媒体又は／及び、前記第二記録媒体に対する前記情報信号の入出力を、第一記録媒体出入口と、第二記録媒体出入口の本体操作面における配置に応じた方向表示で前記ディスプレイに表示する表示ステップ（Ｓ１６０２）とを有する記録再生装置の作動状況表示方法である。
【００２９】
<実施形態１：効果>
【００３０】
以上、説明したように、本発明の記録再生装置によれば、利用者は記録媒体間の処理状況を直感的に把握することができる。
【００３１】
<<実施形態２>>
<実施形態２：概要>
【００３２】
実施形態２について説明する。本実施形態は、本体操作面の第一記録媒体出入口と、第二記録媒体出入口の相対的位置関係に対応させて、第一記録媒体と第二記録媒体とを表象するマークがディスプレイに表示される点に特徴がある。
【００３３】
<実施形態２：構成>
【００３４】
図６は実施形態２を示す機能ブロック図である。この図に示す本実施形態の記録再生装置（０６００）は、本体操作面に配置される第一の記録媒体である第一記録媒体を出し入れするための第一記録媒体出入口（０６０１）と、本体操作面に配置される第二の記録媒体である第二記録媒体の出し入れをするための第二記録媒体出入口（０６０２）と、本体操作面に配置されるディスプレイ（０６０３）と、前記第一記録媒体又は／及び、前記第二記録媒体に対する情報信号の入出力を、第一記録媒体出入口と、第二記録媒体出入口の本体操作面における配置に応じた方向表示で前記ディスプレイに表示するための表示部（０６０４）とを有する。これらの点は、実施形態１の構成と共通であるが、特徴点は、以下のとおりである。即ち、実施形態２では、前記表示部（０６０４）は、第一記録媒体と、第二記録媒体との間で情報信号が移動状態にあることを示す情報信号移動表示手段（０６０７）を有し、情報信号移動表示手段（０６０７）は、本体操作面の第一記録媒体出入口と、第二記録媒体出入口との相対的位置関係に対応させて、第一記録媒体と第二記録媒体とを表象するマークをディスプレイ（０６０３）に表示する点に特徴がある。
【００３５】
<実施形態２：構成の説明>
【００３６】
図６を参照しながら、本実施形態の記録再生装置の特徴点などについて以下に説明する。
「情報信号移動表示手段」（０６０５）は、第一記録媒体と、第二記録媒体との間で情報信号が移動状態にあることを示し、本体操作面の第一記録媒体出入口と、第二記録媒体出入口との相対的位置関係に対応させて、第一記録媒体と第二記録媒体とを表象するマークをディスプレイ（０６０３）に表示する。「情報信号の移動状態を示す」とは、情報がダビング、複写等の状態にあることを示すことをいう。
【００３７】
情報信号が移動状態にあることを示す方法は、実施形態１の方向表示の場合と同様、例えば、矢印（図８のａ）参照）、何らかの文字表示（図８のｃ）参照）、又は「・・・・・・」表示（図８のｂ）参照）等が流れていくように示す表示が考えられる。更に本実施形態においては、信号の発信元、受信先の各媒体を表象するマークが、ディスプレイ上に表示されている（図８のａ）乃至ｃ）参照）。実施形態１におけるような単なる信号の流れを示す場合と区別するために、例えば、これらの矢印、点、文字等の色や種類を変えて表示してもよい。例えば、図８のａ）は、ＶＨＳからＤＶＤへ情報信号の移動が行なわれていることを示している。
【００３８】
「第一記録媒体出入口と、第二記録媒体出入口との相対的位置関係に対応させて、第一記録媒体と第二記録媒体とを表象するマーク」とは、第一記録媒体出入口と第二記録媒体出入口との相対的位置関係がディスプレイ上に表示された第一記録媒体と第二記録媒体とを表象する各マークの相対的位置関係に反映されていることを表す。ディスプレイの位置も方向表示を決定付けるために必要な要素となることは、実施形態１の場合と同様である。図７を利用して更に説明する。図７のａ）乃至ｅ）は、すべて、第一記録媒体及び第二記録媒体の信号の出入力を示す図である。図７のａ）に示されている矢印による方向表示は、例えばＶＨＳからＤＶＤへ情報信号の移動が行なわれていることを示している。即ち、第一記録媒体であるＶＨＳの出入口と第二記録媒体であるＤＶＤの出入口との装置本体操作面における相対的位置関係が、ディスプレイ上に表示された第一記録媒体と第二記録媒体とを表象する各マーク、ここでは「ＶＨＳ」及び「ＤＶＤ」の各マークの相対的位置関係に反映されているのである。図２のｂ）乃至ｅ）についても同様である。
【００３９】
<具体例２>
【００４０】
図９は、本実施形態の具体的機能ブロック図を示す。この図を利用して本実施形態の具体的な説明を行なう。ディスプレイ（０９０３）上に、信号の移動方向を表示する方向表示を矢印の点滅移動によって行なう過程については、実施形態１の具体例１の場合と同様であり、上記図８の説明と重複するため省略する。更に、本実施形態の特徴は、表示部（０９０４）に設けられている情報信号移動表示手段（０９０７）が、第一記録媒体であるビデオテープと第二記録媒体であるＤＶＤとの間で情報信号が移動状態であることを矢印の色、種類又は点滅速度の変化等によりディスプレイ（０９０３）上に表示し、取得した信号の発信元及び受信先の情報に基づいて、第一記録媒体であるビデオテープの出入口（０９０１）及び第二記録媒体であるＤＶＤの出入口（０９０２）の装置本体操作面における位置関係を反映させた形で、ディスプレイ（０９０３）上に、第一記録媒体と第二記録媒体とを表象する各マーク、ここでは「ＶＨＳ」及び「ＤＶＤ」の各マークを表示する点にある。
【００４１】
<実施形態２：処理の流れ>
【００４２】
図１７に示すのは、本実施形態の処理の流れを示すフローチャートである。具体的には、以下の方法からなっている。
【００４３】
本実施形態は、実施形態１の処理の流れを基本として、第一記録媒体と、第二記録媒体との間で情報信号が移動状態にあることを示すステップ（Ｓ１７０１）であって、本体操作面の第一記録媒体出入口と、第二記録媒体出入口の相対的位置関係に対応させて、第一記録媒体と第二記録媒体を表象するマークをディスプレイに表示するマーク表示ステップ（Ｓ１７０２）を有する記録再生装置の作動状況表示方法である。
【００４４】
<実施形態２：効果>
【００４５】
以上、説明したように、本発明の記録再生装置によれば、利用者は複数の記録媒体の中の特定の記録媒体間の情報信号の移動状況を直感的に把握することができる。
【００４６】
<<実施形態３>>
<実施形態３：概要>
【００４７】
実施形態３について説明する。本実施形態は、記録再生装置の本体操作面に第三記録媒体を表象するための第三記録媒体表象ロゴが配置され、前記第三記録媒体に対する情報信号の入出力が、第三記録媒体表象ロゴの本体操作面における配置に応じた方向表示で前記ディスプレイに表示される点に特徴がある。
【００４８】
<実施形態３：構成>
【００４９】
図１０は実施形態３を示す機能ブロック図である。この図に示す本実施形態の記録再生装置（１０００）は、本体操作面に配置される第一の記録媒体である第一記録媒体を出し入れするための第一記録媒体出入口（１００１）と、本体操作面に配置される第二の記録媒体である第二記録媒体の出し入れをするための第二記録媒体出入口（１００２）と、本体操作面に配置されるディスプレイ（１００３）と、前記第一記録媒体又は／及び、前記第二記録媒体に対する情報信号の入出力を、第一記録媒体出入口と、第二記録媒体出入口の本体操作面における配置に応じた方向表示で前記ディスプレイに表示するための表示部（１００４）とを有する。これらの点は、実施形態１の構成と共通であるが、特徴点は、以下のとおりである。即ち、実施形態３では、記録再生装置（１０００）は、内蔵される第三の記録媒体である第三記録媒体（１００８）と、本体操作面に配置される前記第三記録媒体を表象するための第三記録媒体表象ロゴ（１００９）とを有し、前記表示部（１００４）は、さらに前記第三記録媒体に対する情報信号の入出力を、第三記録媒体表象ロゴの本体操作面における配置に応じた方向表示で前記ディスプレイに表示する第三記録媒体表示手段（１０１０）を有する点に特徴がある。
【００５０】
<実施形態３：構成の説明>
【００５１】
図１０を参照しながら、本実施形態の特徴点などについて以下に説明する。
【００５２】
「第三の記録媒体である第三記録媒体」（１００８）は記録再生装置に内蔵されている。「第三記録媒体」は、例えばＨＤＤ等がこれに該当する。
【００５３】
「第三記録媒体表象ロゴ」（１００９）は、本体操作面に配置される前記第三記録媒体を表象する。「記録媒体表象ロゴ」とは、文字、記号又は絵等によって、人がある特定の種類の記録媒体の存在を認識することができるロゴのことをいう。ロゴは、本体操作面に印刷されたものであっても、シール添付されたものであっても、ディスプレイ表示されたものであってもよく、また、これらに限定されない。
【００５４】
「配置に応じた方向表示」とは、基本的には実施形態１の場合と同様である。図１１を利用して更に説明すると、図１１のａ）乃至ｅ）は、すべて、第一記録媒体（１）、第二記録媒体（２）及び第三記録媒体（３）の信号の出入力を示す図である。図１１のａ）に示されている矢印による方向表示は、例えば（１）から（２）、（１）から（３）又は（３）から（２）へ信号が流れていることを示している。即ち、第一記録媒体出入口（１）と第二記録媒体出入口（２）と第三記録媒体表象ロゴ（３）との装置本体操作面における配置が、ディスプレイの方向表示に反映されているのである。図１１のａ）においては、方向表示の信号を発する起点側の媒体は第一記録媒体又は第三記録媒体には限られず、第二記録媒体が他の媒体から信号を受信している場合や、第二記録媒体が放送を受信している場合にも同様の表示がなされることになる、また、方向表示の信号を受ける終点側の媒体は第二記録媒体又は第三記録媒体には限られず、第一記録媒体が他の媒体へ信号を送信している場合にも同様の表示がなされることになる。図２のｂ）乃至ｅ）についても同様である。
【００５５】
<具体例３>
【００５６】
図１２は、本実施形態の具体的機能ブロック図を示す。この図を利用して本実施形態の具体的な説明を行なう。まず、信号取得部（１２０５）において第三記録媒体、ここではＨＤＤ（１２０８）から送信された信号が取得される。ここで表示部（１２０４）に設けられた第三記録媒体表示手段（１２１０）は信号取得部（１２０５）から、ＨＤＤ（１２０８）から信号が送信されたことについての情報を取得する。次に、信号出力部（１２０６）が信号取得部（１２０５）の取得した信号を受け取って、第二記録媒体、ここではＤＶＤへ送信する。ここで表示部（１２０４）は信号出力部（１２０６）から、ＤＶＤへ信号が送信されたことについての情報を取得する。第三記録媒体表示手段（１２１０）及び表示部（１２０４）は、これらの情報に基づき、第三記録媒体であるＨＤＤ（１２０８）及び第二記録媒体であるＤＶＤの出入口（１２０２）の装置本体操作面における配置を反映させた形で、ディスプレイ（１２０３）上に、信号が進む方向を表示する方向表示を矢印の点滅移動によって行なう。
【００５７】
<実施形態３：効果>
【００５８】
以上、説明したように、本発明の記録再生装置によれば、利用者は記録媒体間の処理状況を直感的に把握することができる。
【００５９】
<<実施形態４>>
<実施形態４：概要>
【００６０】
実施形態４について説明する。本実施形態は、本体操作面にある第三記録媒体表象ロゴと、他の記録媒体出入口との相対的位置関係に対応させて、前記第三記録媒体を表象するマーク又は／及び他の記録媒体を表象するマークがディスプレイに表示される点に特徴がある。
【００６１】
<実施形態４：構成>
【００６２】
図１３は実施形態４を示す機能ブロック図である。本実施形態の構成は、図１０に示す実施形態３の構成を基本として、更に、前記表示部（１３０４）は、記録媒体間で情報信号が移動状態にあることを示す第二情報信号移動表示手段（１３０７）を有し、前記第二情報信号移動表示手段（１３０７）は、本体操作面にある第三記録媒体表象ロゴ（１３０９）と、他の記録媒体出入口との相対的位置関係に対応させて、前記第三記録媒体（１３０８）を表象するマーク又は／及び他の記録媒体を表象するマークをディスプレイ（１３０３）に表示する点に特徴がある。
【００６３】
<実施形態４：構成の説明>
【００６４】
図１３を参照しながら、本実施形態の特徴点などについて以下に説明する。
【００６５】
「第二情報信号移動表示手段」（１３０７）は、表示部（１３０４）に備えられており、記録媒体間で情報信号が移動状態にあることを示す。
【００６６】
「第三記録媒体情報信号移動表示器」（１３１１）は、「第二情報信号移動表示手段」（１３０７）に備えられており、本体操作面にある第三記録媒体表象ロゴ（１３０９）と、他の記録媒体出入口との相対的位置関係に対応させて、前記第三記録媒体（１３０８）を表象するマーク又は／及び他の記録媒体を表象するマークをディスプレイ（１３０３）に表示する。ここで、「他の記録媒体」は、第一記録媒体、又は／及び第二記録媒体を指す。
【００６７】
「第三記録媒体表象ロゴと、他の記録媒体出入口の相対的位置関係とに対応させて、前記第三記録媒体を表象するマーク又は／及び他の記録媒体を表象するマークをディスプレイに表示する」とは、基本的には実施形態２の場合と同様である。図１４を利用して更に説明する。図１４のａ）に示すように、第三記録媒体（ここではＨＤＤ）表象ロゴと、他の記録媒体（ここではＤＶＤ）出入口との本体操作面における相対的位置関係を反映して、ディスプレイ上に第三記録媒体を表象するマーク（ここではＨＤＤ）及び他の記録媒体を表象するマーク（ここではＤＶＤ）が表示されている。即ち、第三記録媒体（ここではＨＤＤ）表象ロゴは、本体操作面上において、利用者から見て他の記録媒体（ここではＤＶＤ）出入口の左側に位置するという関係にあるため、ディスプレイ上においても、その関係が反映されて、第三記録媒体を表象するマーク（ここではＨＤＤ）が左側に、他の記録媒体を表象するマーク（ここではＤＶＤ）が右側に表示されている。図１４のｂ）乃至ｅ）についても同様である。
【００６８】
<具体例４>
【００６９】
図１５は、本実施形態の具体的機能ブロック図を示す。この図を利用して本実施形態の具体的な説明を行なう。本実施形態では、第三記録媒体であるＨＤＤ（１５０８）から出力された情報信号を信号取得部（１５０５）が取得し、当該取得された信号を、信号出力部（１５０６）が受け取り、第二記録媒体であるＤＶＤへ送信する。本実施形態における表示部（１５０４）は、第二情報信号移動表示手段（１５０７）を有しており、この第二情報信号移動表示手段（１５０７）は、ディスプレイ（１５０３）上に、ＨＤＤ（１５０８）とＤＶＤとの間で情報信号が移動状態であることを示す。また、第二情報信号移動表示手段（１５０７）は、第三記録媒体情報信号移動表示器（１５１１）を有しており、この第三記録媒体情報信号移動表示器（１５１１）は、ディスプレイ（１５０３）上に、ＨＤＤ（１５０８）とＤＶＤとの装置本体操作面における相対的位置関係を反映させて、各記録媒体を表象するマークである「ＨＤＤ」及び「ＤＶＤ」のマークを表示する。その他の過程については実施形態１乃至３の具体例で説明したものと同様であるため省略する。
【００７０】
<具体例５>
【００７１】
図１８から図２３は、本実施形態のディスプレイにおける表示の具体例を概念的に示したものである。
【００７２】
図１８は、第三記録媒体であるＨＤＤから第一又は第二の記録媒体であるＤＶＤに対して情報信号の移動、ここではダビングが行なわれる際の表示を示す。まず、ダビングするコンテンツのタイトルがディスプレイに表示され、続いて本体操作面の第三記録媒体表象ロゴ及び、第一又は、第二の記録媒体の出入口の配置を反映させて、「ＨＤＤ」及び「ＤＶＤ」がディスプレイに表示される。そして、この場合にはＨＤＤに記録されている信号であるコンテンツの信号をＤＶＤへダビングする場合であるので、信号の流れは、ＨＤＤからＤＶＤへ向かうものであり、これにあわせて、ディスプレイに矢印が流れるように表示される。これらのディスプレイへの表示は、表示部によって行なわれる。さらに、本体のボタンなどを操作して現在までに何分のコンテンツがダビングされたか示される。この例では、１５分３０秒分のコンテンツがダビングされたことが示されている。この表示は、ＨＤＤに記録されている信号のレートを変換してＤＶＤにダビングするときのみ表示するようにしてもよい。この例は「ＬＰモード」からＤＶＤの通常モードに変換している例である。さらに本体のボタンなどを操作して残り時間を表示することも可能である。この例では、残り時間が３０分を示している。さらに本体のボタンなどを操作すると最初のコンテンツのタイトル表示に戻り、逐次同様の操作を繰り返すことでディスプレイの表示が切り替わるように構成されている。本体のボタンは、表示させたい内容ごとに別のボタンを割り当ててもよいし、同じボタンを繰り返し押すことで順次表示が切り替わるトグルスイッチのような構成にしてもよい。
【００７３】
図１９は、図１８の場合と逆でＤＶＤからＨＤＤに対してダビングが行なわれている例を示すものである。基本的な流れはすでに図１８にて示したとおりであるので詳細は諸裏約する。特徴としては、ディスプレイに表示される矢印の向きが逆になっている点である。一方、ＨＤＤと、ＤＶＤのマークの位置関係は変化していない。これはもちろん、これらの表象ロゴや、記録媒体出入口の配置が変化しないためである。
【００７４】
図２０は、図１８や図１９で説明したものと基本的には共通するが、異なる点は、信号の出力側が「ＶＨＳ」テープである点である。このようなビデオテープには、コンテンツのタイトル情報が含まれていないのが通常であるので、図１８や図１９に示したようなタイトル表示のプロセスは省略される。
【００７５】
図２１は、図２０とダビングの方向が逆である点を除いて共通した例である。特徴点は、ＤＶＤが信号の出力側になり、かつ、ＤＶＤにはタイトル情報が含まれている場合があるので、その場合にはまず最初にディスプレイにタイトル情報の表示が行なわれる点である。
【００７６】
図２２は、「ＶＨＳ」テープから「ＨＤＤ」に対してダビングが行なわれる例を示す図である。この図のものは、図２０に示した例とほとんど共通であり、タイトルが表示されない理由も図２０で示した理由と共通する。
【００７７】
図２３は、図２２の例とダビングする方向、即ち、信号の流れる方向が逆の例である。この例は、図２１と類似した例であり、「ＨＤＤ」にはタイトル情報が含まれるのでまず最初にディスプレイにタイトルの表示が行なわれる。その他の点についてはすでに説明したものと共通であるので省略する。
【００７８】
<具体例６>
【００７９】
図２４及び図２５のａ）からｃ）は本実施形態の表示の具体例を示すものである。
【００８０】
<実施形態４：効果>
【００８１】
以上、説明したように、本発明の記録再生装置によれば、利用者は記録媒体間の処理状況を直感的に把握することができる。
【図面の簡単な説明】
【００８２】
【図１】実施形態１を説明するための機能ブロック図
【図２】表示の具体例を説明する概念図
【図３】実施形態１の構成を説明する概念図
【図４】表示の具体例を説明する概念図
【図５】実施形態１を具体的に説明するための具体的機能ブロック図
【図６】実施形態２を示す機能ブロック図
【図７】表示の具体例を説明する概念図
【図８】表示の具体例を説明する概念図
【図９】実施形態２を具体的に説明するための具体的機能ブロック図
【図１０】実施形態３を示す機能ブロック図
【図１１】表示の具体例を説明する概念図
【図１２】実施形態３を具体的に説明するための具体的機能ブロック図
【図１３】実施形態４を示す機能ブロック図
【図１４】表示の具体例を説明する概念図
【図１５】実施形態４を具体的に説明するための具体的機能ブロック図
【図１６】実施形態１の処理の流れを説明する図
【図１７】実施形態２の処理の流れを説明する図
【図１８】表示の具体例を説明する概念図
【図１９】表示の具体例を説明する概念図
【図２０】表示の具体例を説明する概念図
【図２１】表示の具体例を説明する概念図
【図２２】表示の具体例を説明する概念図
【図２３】表示の具体例を説明する概念図
【図２４】表示の具体例を説明する概念図
【図２５】表示の具体例を説明する概念図
【符号の説明】
【００８３】
０１００    記録再生装置
０１０１    第一記録媒体出入口
０１０２    第二記録媒体出入口
０１０３    ディスプレイ
０１０４    表示部
【図１】
2006190427.tif 000003
【図２】
2006190427.tif 000004
【図３】
2006190427.tif 000005
【図４】
2006190427.tif 000006
【図５】
2006190427.tif 000007
【図６】
2006190427.tif 000008
【図７】
2006190427.tif 000009
【図８】
2006190427.tif 000010
【図９】
2006190427.tif 000011
【図１０】
2006190427.tif 000012
【図１１】
2006190427.tif 000013
【図１２】
2006190427.tif 000014
【図１３】
2006190427.tif 000015
【図１４】
2006190427.tif 000016
【図１５】
2006190427.tif 000017
【図１６】
2006190427.tif 000018
【図１７】
2006190427.tif 000019
【図１８】
2006190427.tif 000020
【図１９】
2006190427.tif 000021
【図２０】
2006190427.tif 000022
【図２１】
2006190427.tif 000023
【図２２】
2006190427.tif 000024
【図２３】
2006190427.tif 000025
【図２４】
2006190427.tif 000026
【図２５】
2006190427.tif 000027